【手続補正書】
【提出日】平成23年10月24日(2011.10.24)
【手続補正１】
【補正対象書類名】特許請求の範囲
【補正対象項目名】全文
【補正方法】変更
【補正の内容】
【特許請求の範囲】
【請求項１】
ジョブの実行により排紙されるシートを、施錠機能を備える第１の排紙部または施錠機能を備えない第２の排紙部に排紙する排紙手段と、
ユーザを認証する認証手段と、
前記認証手段によってユーザが認証された場合に、前記第１の排紙部にシートを排紙するよう指定されたジョブのうち、前記認証手段によって認証されたユーザのジョブを実行することにより排紙されるシートを、前記第１の排紙部ではなく前記第２の排紙部に排紙するよう制御する制御手段とを備えることを特徴とするシート処理装置。
【請求項２】
ジョブを記憶する記憶手段を更に有し、
前記制御手段は、前記第１の排紙部にシートを排紙するよう指定されたジョブを実行することにより排紙されるシートを当該第１の排紙部に排紙できない場合に、当該シートを前記排紙手段によって排紙させずに、当該ジョブを前記記憶手段に保持させ、
前記制御手段は、前記記憶手段に記憶されたジョブを実行することにより排紙されるシートを前記第１の排紙部に排紙できるようになった場合、前記第１の排紙部に当該シートを排紙させ、
前記記憶手段に記憶されたジョブを実行することにより排紙されるシートを前記第１の排紙部に排紙できるようになる前に、前記認証手段によってユーザが認証された場合に、当該ジョブを実行することにより排紙されるシートを前記第１の排紙部ではなく前記第２の排紙部に排紙するよう制御することを特徴とする請求項１に記載のシート処理装置。
【請求項３】
前記認証手段によってユーザが認証された場合に、当該ユーザを前記シート処理装置にログインさせるログイン制御手段を更に備え、
前記制御手段は、前記第１の排紙部にシートを排紙するよう指定されたジョブのうち、前記ログイン制御手段によって前記シート処理装置にログインしたユーザのジョブを実行することにより排紙されるシートを前記第１の排紙部ではなく前記第２の排紙部に排紙するよう制御し、
当該ジョブを実行することにより排紙されるシートが前記第２の排紙部に排紙される前に、前記ユーザが前記シート処理装置からログアウトした場合に、当該ジョブを実行することにより排紙されるシートを前記第２の排紙部ではなく前記第１の排紙部に排紙するよう制御することを特徴とする請求項１または２に記載のシート処理装置。
【請求項４】
前記制御手段は、前記第１の排紙部に排紙するよう指定されたジョブを実行することにより排紙される複数枚のシートの全てを、前記第１の排紙部に排紙完了させることができない場合に、一部のシートを前記第１の排紙部に排紙するよう制御し、
前記認証手段によってユーザが認証された場合に、残りのシートを前記第２の排紙部に排紙するよう制御することを特徴とする請求項１乃至３のいずれか１項に記載のシート処理装置。
【請求項５】
前記認証手段によってユーザが認証された場合に、当該ユーザのジョブを実行することにより排紙されるシートが排紙された前記第１の排紙部を開錠する開錠手段をさらに備えることを特徴とする請求項１乃至４のいずれか１項に記載のシート処理装置。
【請求項６】
前記認証手段は、前記シート処理装置の操作部によって入力されたユーザ情報、または、前記シート処理装置の情報読取部によって入力された可搬記憶装置に記憶されたユーザ情報に基づいてユーザを認証することを特徴とする請求項１乃至５のいずれか１項に記載のシート処理装置。
【請求項７】
ジョブの実行により排紙されるシートを、施錠機能を備える第１の排紙部または施錠機能を備えない第２の排紙部に排紙する排紙手段を有するシート処理装置の制御方法であって、
ユーザを認証する認証工程と、
前記認証工程でユーザが認証された場合に、前記第１の排紙部にシートを排紙するよう指定されたジョブのうち、前記認証工程で認証されたユーザのジョブを実行することにより排紙されるシートを、前記第１の排紙部ではなく前記第２の排紙部に排紙するよう制御する制御工程とを備えることを特徴とするシート処理装置の制御方法。
【請求項８】
前記制御工程では、前記第１の排紙部にシートを排紙するよう指定されたジョブを実行することにより排紙されるシートを当該第１の排紙部に排紙できない場合に、当該シートを前記排紙工程で排紙させずに、当該ジョブを記憶手段に保持させ、
前記制御工程では、前記記憶手段に保持されたジョブを実行することにより排紙されるシートを前記第１の排紙部に排紙できるようになった場合、前記第１の排紙部に当該シートを排紙させ、
前記制御工程では、前記記憶手段に保持されたジョブを実行することにより排紙されるシートを前記第１の排紙部に排紙できるようになる前に、前記認証工程でユーザが認証された場合に、当該ジョブを実行することにより排紙されるシートを前記第１の排紙部ではなく前記第２の排紙部に排紙するよう制御することを特徴とする請求項７に記載のシート処理装置の制御方法。
【請求項９】
前記認証工程でユーザが認証された場合に、当該ユーザを前記シート処理装置にログインさせるログイン制御工程をさらに備え、
前記制御工程では、前記第１の排紙部にシートを排紙するよう指定されたジョブのうち、前記ログイン制御工程で前記シート処理装置にログインしたユーザのジョブを実行することにより排紙されるシートを前記第１の排紙部ではなく前記第２の排紙部に排紙するよう制御し、当該ジョブを実行することにより排紙されるシートが前記第２の排紙部に排紙される前に、前記ユーザが前記シート処理装置からログアウトした場合に、当該ジョブを実行することにより排紙されるシートを前記第２の排紙部ではなく前記第１の排紙部に排紙するよう制御することを特徴とする請求項７または８に記載のシート処理装置の制御方法。
【請求項１０】
前記制御工程では、前記第１の排紙部に排紙するよう指定されたジョブを実行することにより排紙される複数枚のシートの全てを、前記第１の排紙部に排紙完了させることができない場合に、一部のシートを前記第１の排紙部に排紙するよう制御し、
前記認証工程でユーザが認証された場合に、残りのシートを前記第２の排紙部に排紙するよう制御することを特徴とする請求項７乃至９のいずれか１項に記載のシート処理装置の制御方法。
【請求項１１】
前記認証工程でユーザが認証された場合に、当該ユーザのジョブを実行することにより排紙されるシートが排紙された前記第１の排紙部を開錠する開錠工程をさらに備えることを特徴とする請求項７乃至１０のいずれか１項に記載のシート処理装置の制御方法。
【請求項１２】
前記認証工程では、前記シート処理装置の操作部によって入力されたユーザ情報、または、前記シート処理装置の情報読取部によって入力された可搬記憶装置に記憶されたユーザ情報に基づいてユーザを認証することを特徴とする請求項７乃至１１のいずれか１項に記載のシート処理装置の制御方法。
【請求項１３】
請求項７乃至１２のいずれか１項に記載のシート処理装置の制御方法を、コンピュータに実行させるためのプログラム。
【手続補正２】
【補正対象書類名】明細書
【補正対象項目名】０００８
【補正方法】変更
【補正の内容】
【０００８】
上記目的を達成するために本発明の一態様に係るシート処理装置は以下のような構成を備える。即ち、
ジョブの実行により排紙されるシートを、施錠機能を備える第１の排紙部または施錠機能を備えない第２の排紙部に排紙する排紙手段と、
ユーザを認証する認証手段と、
前記認証手段によってユーザが認証された場合に、前記第１の排紙部にシートを排紙するよう指定されたジョブのうち、前記認証手段によって認証されたユーザのジョブを実行することにより排紙されるシートを、前記第１の排紙部ではなく前記第２の排紙部に排紙するよう制御する制御手段とを備えることを特徴とする。